(57)【要約】【課題】  光学系ブロックへの取り付けが容易でかつ角度調整も容易な回折格子を備えた光ピックアップ装置を提供すること。【解決手段】回折格子３０、４０は、薄い金属板からなるホルダ３２、４２に取り付けられ、板バネ５０の一対の押圧片５１、５３により金属製のブロックベース２１の内壁面２１１ａ、２１２ａに付勢され保持されている。また、ホルダ３２、４２の摺動端面３７、４７は、ブロックベース２１の被摺動面２１１ｂ、２１２ｂに当接し、回折格子３０、４０が、ブロックベース２１に対して回動可能に支持されている。これにより、光ピックアップ装置の薄型化および小型化が可能になるとともに、回折格子の角度調整も容易に行なうことができる。【選択図】  図５
2005285166.tif 000002
【特許請求の範囲】
【請求項１】
少なくとも一つのレーザ発光素子と、
前記レーザ発光素子から発光されたレーザ光を光ディスクに照射する対物レンズと、
前記対物レンズをフォーカス方向およびトラッキング方向に駆動する対物レンズアクチュエータと、
前記光ディスクからの反射光を受光する少なくとも一つのフォトダイオードと、
前記レーザ発光素子から発光されたレーザ光が前記対物レンズに至るまでの間および前記光ディスクからの反射光が前記対物レンズから前記フォトダイオードに至るまでの間に配置された多数の光学素子と、
前記多数の光学素子のうち複数の光学素子を搭載した光学系ブロックと、
前記レーザ発光素子、前記対物レンズアクチュエータ、前記フォトダイオードおよび前記光学系ブロックが設けられたピックアップベースと、を備えた光ピックアップ装置であって、
前記光学系ブロックは、前記ピックアップベース上に位置調整可能に設けられており、前記光学系ブロックに搭載された前記複数の光学素子は、少なくとも一つの回折格子を含み、該回折格子は、前記光学系ブロックに着脱自在に装着される取り付け手段を介して前記光学系ブロックに位置調整可能に取り付けられていることを特徴とする光ピックアップ装置。
【請求項２】
前記取り付け手段は、前記光学系ブロックに着脱自在に装着される板バネである請求項１に記載の光ピックアップ装置。
【請求項３】
前記回折格子は、両側に一対の固定片を有する薄板状の金属製のホルダに取り付けられており、前記板バネは少なくとも一対の押圧片を備えており、前記回折格子は、前記ホルダの両側の固定片を前記一対の押圧片により押圧されることにより前記光学系ブロックに位置調整可能に取り付けられていることを特徴とする請求項２に記載の光ピックアップ装置。
【請求項４】
前記回折格子の金属製ホルダは摺動端面を備えており、該摺動端面を介して、前記光学系ブロックの回折格子収容部に設けられた被摺動面に回動可能に支持されていることを特徴とする請求項３記載の光ピックアップ装置。
【請求項５】
前記光学系ブロックは、亜鉛、マグネシウム、アルミニウムおよびこれらの２以上を含む合金を含むグループから選択されたいずれかの材料から形成されている請求項１ないし請求項４のいずれかに記載の光ピックアップ装置。
【請求項６】
前記ピックアップベースは、亜鉛、マグネシウム、アルミニウムおよびこれらの２以上を含む合金を含むグループから選択されたいずれかの材料から形成されている請求項１ないし請求項５のいずれかに記載の光ピックアップ装置。
【請求項７】
前記光学系ブロックと前記ピックアップベースは、同一の熱膨張率を有する金属から形成されていることを特徴とする請求項５または請求項６のいずれかに記載の光ピックアップ装置。
【請求項８】
レーザ発光素子と、
前記レーザ発光素子から発光されたレーザ光を光ディスクに照射する対物レンズと、
前記対物レンズをフォーカス方向およびトラッキング方向に駆動する対物レンズアクチュエータと、
前記光ディスクからの反射光を受光する受光素子と、
前記レーザ発光素子から発光されたレーザ光が前記対物レンズに至るまでの間および前記光ディスクからの反射光が前記対物レンズから前記受光素子に至るまでの間に配置された多数の光学素子と、
前記多数の光学素子のうち複数の光学素子が設けられた光学系ブロックと、
前記レーザ発光素子、前記対物レンズアクチュエータ、前記受光素子および前記光学系ブロックが搭載されたピックアップベースと、を備えた光ピックアップ装置であって、
前記光学系ブロックは、前記ピックアップベース上に位置調整可能に設けられており、かつ前記光学系ブロックと前記ピックアップペースとは熱膨張率が同じ金属材料から形成されていることを特徴とする光ピックアップ。
【請求項９】
前記金属材料は、マグネシウム、亜鉛、アルミニウムおよびこれらの合金のいずれかから選択される請求項８に記載の光ピックアップ装置。
【発明の詳細な説明】
【技術分野】
【０００１】
本発明は、光ピックアップ装置に関し、さらに詳しくは、ＣＤ（compact disc）やＤＶＤ（digital video disc）等の光ディスクの再生または記録・再生に用いられる光ピックアップ装置に関する。
【背景技術】
【０００２】
従来の光ピックアップ装置は、例えば以下の特許文献１に開示されているようなものがある。この光ピックアップ装置において、レーザ発光素子から発光されるレーザ光は、回折格子、プリズム、コリメートレンズ、全反射ミラーおよび対物レンズを介して、光ディスクへ照射される。また、光ディスクからの反射光は、対物レンズ、全反射ミラー、コリメートレンズ、プリズム、ハーフミラー、シリンドリカルレンズを通じて受光素子で受光される。
【０００３】
この光ピックアップ装置は、上記のプリズム、コリメートレンズ、ハーフミラーおよびシリンドリカルレンズを接着固定した樹脂成形品から成る光学素子固定用ブロックを備えており、この固定用ブロックがその搭載位置や向きを微調整可能な状態で金属製（アルミダイカスト製）の本体フレーム（ピックアップベース）に搭載されている。このように、固定用ブロックに複数の光学素子を集中させて搭載することにより、光学素子を高い位置合わせ精度で容易に組み立てられるようにしている。
【０００４】
この従来の光ピックアップ装置では、レーザ発光素子としてのレーザダイオード３１と固定用ブロック５との間に回折格子３２が設けられている。この回折格子は、トラッキングのサーボの検出をグレーティングを用いた３ビーム法により行なうために設けられており、メインビーム（０次光）の他に二つのサブビーム（一次光）を生成する。このため、回折格子を組み付ける際には、半導体レーザダイオードからの入射光に対して回折格子を回転させ、メインビームに対するサブビームの相対角度を適正なものに調整する必要がある。従来の光ピックアップ装置では、この回折格子は金型成型による樹脂モールド製の回折格子ホルダに接着されていた。
【０００５】
【特許文献１】特開平１１−３０６５４９号
【発明の開示】
【発明が解決しようとする課題】
【０００６】
ところで、光ピックアップ装置を小型化および薄型化するためには、回折格子の小型化も必要になる。しかしながら、このような樹脂製の回折格子ホルダを小型化したり薄型化したりすると、光ピックアップ装置へ回折格子ホルダを取り付ける際の作業や調整が困難になったり、強度が低下したりする。また、この回折格子のような光学部品は、熱を発するレーザダイオードのドライバICの近傍に位置するため、熱の影響を受けやすいという問題点があった。
【０００７】
また、上述したような従来の光ピックアップの光学素子固定用ブロックは、樹脂成形品のため剛性が低く、そのため強度を保つためにはある程度の厚みが必用であり、光ピックアップの小型化および薄型化の要請に十分に応えられるものではなかった。また、光ピックアップは、レーザダイオードドライバICの他に、各種モータドライバICの近くに配置されるため、高温下で動作することから、回折格子と同様に熱の影響を受けやすい。そのため、以上のような樹脂成形品の固定用ブロックでは、金属製のピックアップベースとの熱膨張率の違いにより、位置ズレを引き起こす可能性があった。
【０００８】
本発明は、上記問題点に鑑みなされたもので、その主たる目的は、光ピックアップへの取り付けおよび調整が容易な上、光ピックアップ装置の小型化および薄型化が可能な回折格子を備えた光ピックアップ装置を提供することにある。
【０００９】
また、本発明の他の目的は、熱の影響を受けにくい光ピックアップ装置を提供することにある。
【課題を解決するための手段】
【００１０】
上記目的を達成するために、本発明は、少なくとも一つのレーザ発光素子と、前記レーザ発光素子から発光されたレーザ光を光ディスクに照射する対物レンズと、前記対物レンズをフォーカス方向およびトラッキング方向に駆動する対物レンズアクチュエータと、前記光ディスクからの反射光を受光する少なくとも一つのフォトダイオードと、前記レーザ発光素子から発光されたレーザ光が前記対物レンズに至るまでの間および前記光ディスクからの反射光が前記対物レンズから前記フォトダイオードに至るまでの間に配置された多数の光学素子と、前記多数の光学素子のうち複数の光学素子を搭載した光学系ブロックと、前記レーザ発光素子、前記対物レンズアクチュエータ、前記フォトダイオードおよび前記光学系ブロックが設けられたピックアップベースと、を備えた光ピックアップ装置であって、前記光学系ブロックは、前記ピックアップベース上に位置調整可能に設けられており、前記光学系ブロックに搭載された前記複数の光学素子は、少なくとも一つの回折格子を含み、該回折格子は、前記光学系ブロックに着脱自在に装着される取り付け手段を介して前記光学系ブロックに位置調整可能に取り付けられていることを特徴とする。
【００１１】
上記構成を有する本発明によれば、回折格子は、光学系ブロックに着脱自在に装着される取り付け手段を介して光学系ブロックに位置調整可能に取り付けられているため、光ピックアップ装置の小型化および薄型化と回折格子の組み付けと位置調整の容易化の両方を達成することができる。
【００１２】
この場合、好ましくは、前記取り付け手段は、前記光学系ブロックに着脱自在に装着される板バネから構成される。このような板バネを用いることにより、より効果的に回折格子の組み付けと位置調整の容易化を達成することができる。
【００１３】
また、好ましくは、前記回折格子は、両側に一対の固定片を有する薄板状の金属製のホルダに取り付けられており、前記板バネは少なくとも一対の押圧片を備えており、前記回折格子は、前記ホルダの両側の固定片を前記一対の押圧片により押圧されることにより前記光学系ブロックに位置調整可能に取り付けられる。
【００１４】
このような構成によれば、回折格子は、樹脂製ではなく金属製のホルダに支持されているため、ホルダを含めた回折格子部全体を小型にしかも薄く構成することができる。このため、光ピックアップ装置を小型化および薄型化することを可能とする。また、回折格子はホルダの両側に設けた固定片を板バネの一対の押圧片により押圧して支持するため、回折格子の位置調整を容易に行なうことができ、しかも回折格子ホルダに不均一な力が加わらないので、回折格子のゆがみを長期に渡り防止することができる。
【００１５】
また、好ましくは、前記回折格子の金属製ホルダは摺動端面を備えており、該摺動端面を介して、前記光学系ブロックの回折格子収容部に設けられた被摺動面に回動可能に支持される。
【００１６】
このような構成によれば、ホルダに設けられている摺動端面を光学系ブロックの取り付け部位の被摺動面に押し付けながら回折格子を回動させることにより、ブロックの垂直方向における所定位置に容易に回折格子を向けることができ、容易に回折格子の角度調整を行なうことが可能になる。
【００１７】
さらに、前記光学系ブロックは、亜鉛、マグネシウム、アルミニウムおよびこれらの２以上を含む合金を含むグループから選択されたいずれかの材料から形成することが好ましい。これにより、樹脂製の場合に比べて、剛性を高めることができる。
【００１８】
また、前記ピックアップベースも、亜鉛、マグネシウム、アルミニウムおよびこれらの２以上を含む合金を含むグループから選択されたいずれかの材料から形成することが好ましく、この場合、前記光学系ブロックと前記ピックアップベースは、同一の熱膨張率を有する金属から形成されることが好ましい。これにより、熱膨張率の違いによる光学系ブロックの位置ズレなどを確実に防止することができる。
【００１９】
また、本発明の他の態様は、レーザ発光素子と、前記レーザ発光素子から発光されたレーザ光を光ディスクに照射する対物レンズと、前記対物レンズをフォーカス方向およびトラッキング方向に駆動する対物レンズアクチュエータと、前記光ディスクからの反射光を受光する受光素子と、前記レーザ発光素子から発光されたレーザ光が前記対物レンズに至るまでの間および前記光記録ディスクからの反射光が前記対物レンズから前記受光素子に至るまでの間に配置された多数の光学素子と、前記多数の光学素子のうち複数の光学素子が設けられた光学系ブロックと、前記レーザ発光素子、前記対物レンズアクチュエータ、前記受光素子および前記光学系ブロックが搭載されたピックアップベースと、を備えた光ピックアップ装置であって、前記光学系ブロックは、前記ピックアップベース上に位置調整可能に設けられており、かつ前記光学系ブロックと前記ピックアップペースとは熱膨張率が同じ金属材料から形成されていることを特徴とする。
【００２０】
この態様の本発明の光ピックアップによれば、樹脂製の場合に比べて、光学系ブロックの剛性を高めることができる他、熱膨張率の違いによる光学系ブロックの位置ズレなどを確実に防止することができる。
【００２１】
この場合、前記金属材料は、マグネシウム、亜鉛、アルミニウムおよびこれらの合金のいずれかから選択されることが好ましい。
【００２２】
上述したまたはそれ以外の本発明の目的、構成および効果は、図面を参照して行なう以下の好適実施形態の説明からより明らかとなるであろう。
【発明を実施するための最良の形態】
【００２３】
以下、本発明の光ピックアップ装置を添付図面に示す好適な実施形態に基づいて詳細に説明する。
【００２４】
図１は、本発明の光ピックアップ装置１の概要を示す平面図である。光ピックアップ装置１は、光ディスク（図示せず）へレーザ光を照射するとともにその反射光を受光して、光ディスクからデータを読み出したり、あるいは光ディスクにデータを書き込む装置である。この光ピックアップ装置１は、図１に示すように、概略、光ディスクに所定のスポット径となるようにレーザ光を照射するとともにその反射光を受光する対物レンズ１１と、前記対物レンズ１１が設けられ、該対物レンズをトラッキング方向およびフォーカス方向に駆動する対物レンズアクチュエータ部１２と、複数の光学素子を搭載した光学系ブロック２と、これらの部品が設けられ光ディスクの半径方向に移動可能なピックアップベース（筐体）１３と、から構成されている。
【００２５】
この光ピックアップ装置１は、例えば、コンピュータ（パーソナルコンピュータ）、映像機器、音響機器その他の電子機器に搭載される光ディスクドライブに適用され、特に、複数種類の光ディスクを読み取り可能な光ディスクドライブに適用される。また、光ディスクとしてはＣＤ、ＤＶＤ等が挙げられる。
【００２６】
以下、各部の構成について詳細に説明する。
図１に示すピックアップベース１３は、図面上方に示された一対の摺動部１３ａ、１３ａにガイドロッド（点線で示す）が挿通し、図示しない光ピックアップ移動機構を介して、ガイドロッドに沿って光ディスクの半径方向に移動可能に構成されている。
【００２７】
このピックアップベース１３は、所望の剛性を確保すべく、金属材料を所定形状に成形することにより形成されている。この金属材料としては、亜鉛、マグネシウム、アルミニウム等の各種金属、またはこれらの合金等が挙げられる。
【００２８】
このピックアップベース１３の摺動部１３ａ，１３ａの側方（図１における下方）には、ダンパーベース１０が設けられている。このダンパーベース１０の左右両側からは、それぞれ、上下２本のサスペンションバネ１２ａ、１２ａが延出している。これらのサスペンションバネ１２ａ，１２ａの先端には、対物レンズ１１を備えた対物レンズアクチュエータ部１２が反射鏡（図示せず）の上方に位置するように取り付けられている。この対物レンズアクチュエータ部１２は、これらのサスペンションバネ１２ａ、１２ａを介して、対物レンズ１１が上下（フォーカス方向）および左右（トラッキング方向）に変位可能に支持されている。すなわち、対物レンズアクチュエータ部１２は、フォーカスサーボ用のフォーカスコイルおよびトラッキングサーボ用のトラッキングコイルを備えており、これらのコイルが適宜駆動されることにより、対物レンズ１１は、対物レンズアクチュエータ部１２とともに、フォーカス方向およびトラッキング方向に変位するようになっており、それによりフォーカスサーボおよびトラッキングサーボがかかるようになっている。
【００２９】
また、ピックアップベース１３の対物レンズアクチュエータ部１２の側方（図１における下方）には、光学系ブロック２が位置調整可能に搭載されている。さらに、このピックアップベース１３には、フォトダイオード（受光素子）１４、第１のレーザ発光素子１５、第２のレーザ発光素子１６が、光学系ブロック２の周囲にそれぞれ配設されている。これらの第１のレーザ発光素子１５および第２のレーザ発光素子１６は、それぞれ、異なるタイプのディスクの再生または記録再生をするためのもので、異なる波長のレーザ光を照射するようになっている。本実施形態では、第１のレーザ発光素子１５がＣＤ用であり、第２のレーザ発光素子１６がＤＶＤ用となっているが、このような組合せに限定されるものでないことは言うまでもない。
【００３０】
図２は、光学系ブロック２を斜め上方から見た斜視図であり、また図３は、光学系ブロック２を裏面側から見た斜視図である。この光学系ブロック２には、第１のレーザ発光素子１５または第２のレーザ発光素子１６から照射されたレーザ光が対物レンズ１１に至るまでの間および光ディスクからの戻り光が対物レンズ１１からフォトダイオード（受光素子）１４に至るまでの間に配置されている多数の光学素子のうち複数の光学素子が組み込まれている。
【００３１】
より詳しく説明するに、この光学系ブロック２は、前記複数の光学素子を取り付けるためのブロックベース２１を有している。このブロックベース２１は、金属材料を各光学部品等の取り付け部位や開口が予め設けられた所定形状に成形することにより形成されている。この金属材料としては、ピックアップベース１３と同様に、亜鉛、マグネシウム、アルミニウム等の各種金属、またはこれらの合金等が挙げられる。この場合、ブロックベース２１とピックアップベース１３は、同一の金属材料であることが好ましい。ブロックベース２１とピックアップベース１３は、ドライバＩＣなど発熱部品の近くに配置されるため、熱の影響を受け易いが、これらの部材を同一の金属材料から形成し、熱膨張率を同一にすることにより、熱膨張による光学系ブロック２の位置ズレなどを効果的に防止できる。
【００３２】
このブロックベース２１には、対物レンズ１１側（反射鏡側）に設けられたコリメータレンズ２２と、フォトダイオード１４に対応する位置に取り付けられたセンサレンズ２３と、ブロックベース２１の略中央において対物レンズ１１側に設けられた前方ビームスプリッタ２４と、対物レンズ１１から見て前方ビームスプリッタ２４の後方に位置する後方ビームスプリッタ２５と、第１のレーザ発光素子１５に対応する位置に取り付けられたカップリングレンズ２６と、カップリングレンズ２６の内側に設けられるとともに第１のレーザ発光素子１５に対応する位置に設けられた第１の回折格子３０と、第２のレーザ発光素子１６に対応する位置に設けられた第２の回折格子４０と、が搭載されている。本実施形態では、これらの光学素子が前述した複数の光学素子に該当するが、本発明においては、少なくとも一つの回折格子が組み込まれていれば、光ピックアップ装置の設計や用途に応じて、他の光学素子の数や配置を適宜変えることができることは言うまでもない。
【００３３】
また、この光学系ブロック２には、ブロックベース２１に第１および第２の回折格子３０、４０をブロックベース２１に位置調整可能に取り付けるための金属製の板バネ５０が着脱自在に装着されるようになっている。この金属製の板バネ５０は、本発明の取り付け手段をなすものである。
【００３４】
図４は、図３に示した状態の光学系ブロック２のブロックベース２１に第１の回折格子３０と第２の回折格子４０だけを板バネ５０で取り付けた状態を示す斜視図であり、また、図５は、図４に示す各部材をブロックベース２１から分離して示した分解斜視図である。
【００３５】
図４及び図５に示すように、第１の回折格子３０はブロックベース２１の収容部（取り付け部位）２１１に収容され、また第２の回折格子４０はブロックベース２１の収容部（取り付け部位）２１２に収容されている。板バネ５０は、所定形状に切り取った鋼板を図示のような形状に加工して構成されたものであり、後述するように、一対の押圧片５１、５１が収容部２１１へ、他の一対の押圧片５３、５３が収容部２１２へ、取り付け片５６が収容部２１６へ挿入されることにより、ブロックベース２１へ着脱自在に取り付けられるようになっている。
【００３６】
図６は、図５に示す第１の回折格子３０のホルダ３２の説明図である。図５及び図６に示すように、第１の回折格子３０と第２の回折格子４０は、それぞれ、微細な等間隔の溝が刻まれ、アルミ蒸着層が施されているガラス基板３１、４１から構成されており、該ガラス基板３１，４１がステンレスなどの薄板状の金属板を所定形状に曲げてなるホルダ３２、４２に接着されている。これらの第１の回折格子３０と第２の回折格子４０は同一の構成を有するため、以下、第１の回折格子３０について説明する。
【００３７】
図５及び図６に示すように、回折格子３０（ガラス基板３１）は、ホルダ３２の内側（うちがわ）面３８に接着剤などで接着されている。このホルダ３２の中央部には、第１のレーザ発光素子１５からのビームが通過するための穴３６が設けられており、この孔３６の両側に左右一対の固定片３３を有している。また、ホルダ３２は、ガラス基板３１角度調整用の一対の調整片３４と、その調整片３４が設けられた部分とほぼ対向する部分の側端面（縁部）に一対の円弧状の摺動端面３７を有している。後述するように、これらの摺動端面３７が収容部２１１の被摺動面２１１ｂに当接してホルダ３２がブロックベース２１に対して位置決めされ、かつホルダ３２の回転方向の調整（回折格子の角度調整）を容易にしている。
【００３８】
本実施形態では、このホルダ３２は、厚さ０．２ｍｍ程度のステンレス製の板材を所定形状に打ち抜いた後に、以上のような形状に折り曲げ加工することにより形成されている。このような薄い金属板からなる以上のような形状のホルダ３２を用いているので、ホルダ３２を小型化できるだけでなく、回折格子の厚さ（ガラス基板を含めた厚さ）を１ｍｍ以下とすることができ、２ｍｍ以上の厚さがあった従来の樹脂製のホルダを使用した場合に比べ、半分以下の厚さとすることができ、光ピックアップの薄型化および小型化に貢献することができる。
【００３９】
次に、図７および図８を参照しつつ、第１の回折格子３０が収容部２１１内へ収納された状態を説明する。図７および図８に示すように、第１の回折格子３０は、ブロックベース２１の収容部２１１内において、板バネ５０の一対の押圧片５１により係止される。この係止状態において、ホルダ３２の固定片３３は、押圧片５１の押圧部５２によりブロックベース２１の内壁面に対して付勢され、ホルダ３２の外側（そとがわ）面３５（図６参照）が収容部２１１の内壁面２１１ａに押し付けられる。この押圧部５２の付勢により第１の回折格子３０は、ブロックベース２１の所定位置に当接した状態で保持される。
【００４０】
一方、第１の回折格子３０は、その摺動端面３７が収容部２１１の被摺動面２１１ｂに当接することにより、ブロックベース２１の垂直方向における位置決めがなされる。この摺動端面３７は円弧状に形成されているために、摺動端面３７を被摺動面２１１ｂに押し付けながら、図７に示す矢印方向へ第１の回折格子３０を回動することができ、回折格子の角度調整が容易に行なえる。
【００４１】
上記の第１の回折格子３０及び収容部２１１の構成は、第２の回折格子４０及び収容部２１２の構成と同様であり、第１の回折格子３０の３０番台の符号が付された各部は、第２の回折格子４０の４０番台の符号が付された各部に相当し、また、内壁面２１１ａは内壁面２１２ａ、被摺動面２１１ｂは被摺動面２１２ｂに相当する。
【００４２】
以下、光ピックアップ装置１のレーザ光の光路について説明する。第１のレーザ発光素子１５で発光されたＣＤ用レーザ光は、カップリングレンズ２６により集光され、第１の回折格子３０により回折し、後方ビームスプリッタ２５の反射面で反射され、前方ビームスプリッタ２４を通過し、コリメータレンズ２２により平行光となる。そして、反射鏡（図示せず）で反射され、対物レンズ１１を介して、ＣＤの記録面（記録層）に照射される。
【００４３】
ＣＤの記録面で反射された反射光は、前記とは逆に、対物レンズ１１、反射鏡（図示せず）、コリメータレンズ２２を順に通過し、前方ビームスプリッタ２４の反射面で反射され、センサレンズ２３を介してフォトダイオード１４で受光される。
【００４４】
一方、第２のレーザ発光素子１６で発光されたＤＶＤ用レーザ光は、第２の回折格子４０により回折し、後方ビームスプリッタ２５及び前方ビームスプリッタ２４を通過し、コリメータレンズ２２により平行光となる。そして、反射鏡（図示せず）で反射され、対物レンズ１１を介して、ＤＶＤの記録面（記録層）に照射される。
【００４５】
ＤＶＤの記録面で反射された反射光は、前記とは逆に、対物レンズ１１、反射鏡（図示せず）、コリメータレンズ２２を順に通過し、前方ビームスプリッタ２４の反射面で反射され、センサレンズ２３を介してフォトダイオード１４で受光される。
【００４６】
以下、本発明の作用効果を説明する。
回折格子は、光学系ブロックに板バネにより位置調整可能に取り付けられているため、光ピックアップ装置の組み立てと回折格子の位置調整（角度調整）の容易化の両方を達成することができる。特に、回折格子の場合には、他の光学部品とは異なり、光学ブロックへの取り付け後にも前述したような角度調整が必要となることから、このような構成は非常に有意義である。
【００４７】
また、回折格子は、樹脂製ではなくステンレスなどの金属製のホルダに支持されているため、ホルダを含めた回折格子全体を非常に小さくしかも薄く構成することができる。このため、樹脂製のホルダを使用した場合に比べ、光ピックアップ装置をより一層小型化および薄型化することが可能となる。
【００４８】
さらに、回折格子が設けられた金属製ホルダを金属製のブロックベースに対して板バネにより付勢することにより、回折格子をブロックベースに支持しているので、回折格子を所定位置に確実に保持できる。しかも、金属製ホルダには左右一対の固定片が設けられており、これら固定片は、板バネの一対の押圧片によりブロックベースの内壁に対して付勢されているので、ホルダは左右均等の付勢力により確実に所定位置に保持される。また、回折格子に不均一な力が加わることもないので、回折格子のゆがみを長期に渡り防止することができる。
【００４９】
さらに、金属製ホルダに設けられている摺動端面をブロックベースの収容部の被摺動面に押し付けながらホルダを回動させるようになっているので、ブロックベースの垂直方向における所定位置に容易に回折格子を位置決めすることができるとともに、容易に回折格子の角度調整を行なうことが可能になる。
【００５０】
さらに、回折格子が設けられた金属製ホルダには、一対の調整片が設けられているため、回折格子の角度調整を行なう際、回折格子を回動させるための力を加えることを容易に行なうことができる。このため、回折格子とホルダを小型化しても、回折格子をブロックベースに組み付ける組み立て作業の効率化が困難になることはない。
【００５１】
以上、本発明を図面に示した好適実施形態に基づいて説明したが、本発明がこの実施形態に限定されるものでないことは言うまでもない。たとえば、上記板バネは、金属製の鋼板から形成しているが、十分な強度と弾性および耐熱性を有すれば、プラスチックなどの他の材料から形成することもできる。また、板バネは、ブロックベースの開口部に装着され回折格子を開口の内壁側に押し付ける構成となっているが、ブロックベースの壁部を挟むクリップ式のものとすることもできる。
【図面の簡単な説明】
【００５２】
【図１】本発明の光ピックアップ装置１の概要を示す平面図である。
【図２】図１に示す光ピックアップ装置１の光学系ブロック２の斜視図である。
【図３】図２に示す光学系ブロック２の裏面側の斜視図である。
【図４】図３に示す光学系ブロック２のブロックベース２１に第１の回折格子３０（ホルダ３２）、第２の回折格子４０（ホルダ４２）および板バネ５０だけを取り付けた状態を示す斜視図である。
【図５】図４に示す光学系ブロック２において、ブロックベース２１、第１の回折格子３０（ホルダ３２）、第２の回折格子４０（ホルダ４２）、板バネ５０の各部材をブロックベース２１から分離した状態を示す分解斜視図である。
【図６】図５に示す第１の回折格子３０のホルダ３２を示す斜視図であり、（ａ）と（ｂ）は、それぞれ図示する角度を変更して表示されている。
【図７】図５に示す第１の回折格子部３０をブロックベース２１の収容部２１１へ収容した状態を示す部分拡大斜視図である。
【図８】図７に示すブロックベース２１に板バネ５０を装着した状態を示す部分拡大斜視図である。
【符号の説明】
【００５３】
１          光ピックアップ装置
１０        ダンパーベース
１１        対物レンズ
１２        対物レンズアクチュエータ部
１２ａ      サスペンションバネ
１３        ピックアップベース
１３ａ      摺動部
１４        フォトダイオード
１５        第１のレーザ発光素子
１６        第２のレーザ発光素子
２          光学系ブロック
２１        ブロックベース
２１１、２１２、２１６  収容部
２１１ａ、２１２ａ  内壁面
２１１ｂ、２１２ｂ  被摺動面
２２        コリメータレンズ
２３        センサレンズ
２４        前方ビームスプリッタ
２５        後方ビームスプリッタ
２６        カップリングレンズ
３０        第１の回折格子
３１、４１  ガラス基板
３２、４２  ホルダ
３３、４３  固定片
３４、４４  調整片
３５、４５  外側面
３６、４６  穴
３７、４７  摺動端面
３８、４８  内側面
４０        第２の回折格子
５０        板バネ
５１、５３  押圧片
５２、５４  押圧部
５６        取り付け片
【図１】
2005285166.tif 000003
【図２】
2005285166.tif 000004
【図３】
2005285166.tif 000005
【図４】
2005285166.tif 000006
【図５】
2005285166.tif 000007
【図６】
2005285166.tif 000008
【図７】
2005285166.tif 000009
【図８】
2005285166.tif 000010